(57)【要約】      （修正有）【課題】書籍以外の物品を収納する物品用空間を備え、物品用空間が外部から視認できない仕組みを有する書棚を提供する。【解決手段】書籍を載置する書棚１であって、書籍の載置面を形成する第１の機能、及び、書籍の上面を覆う第２の機能、のうち少なくとも一方の機能を有する横板１４〜１９と、第１の機能を有する横板と第２の機能を有する横板とに挟まれた収納空間において奥方向への書籍の移動を制限する仕切板２４〜２８と、を備え、収納空間における仕切板よりも奥側に、書籍以外の物品を収納する物品用空間が形成され、仕切板は移動可能に構成され、仕切板が移動されることにより、物品用空間が、収納空間における仕切板の手前側に形成された書籍用空間側に開放され、物品の取り出しが可能となる。【選択図】図１
0003193181.tif 000002
【実用新案登録請求の範囲】
【請求項１】
書籍を載置する書棚であって、
書籍の載置面を形成する第１の機能、及び、書籍の上面を覆う第２の機能、のうち少なくとも一方の機能を有する横板と、
前記第１の機能を有する前記横板と前記第２の機能を有する前記横板とに挟まれた収納空間において奥方向への書籍の移動を制限する仕切板と、
を備え、
前記収納空間における前記仕切板よりも奥側に、書籍以外の物品を収納する物品用空間が形成され、
前記仕切板は移動可能に構成され、前記仕切板が移動されることにより、前記物品用空間が、前記収納空間における前記仕切板の手前側に形成された書籍用空間側に開放され、物品の取り出しが可能となる、書棚。
【請求項２】
前記第１の機能を有する前記横板には、書籍が並べられる方向に延びる溝が形成され、
前記第２の機能を有する前記横板には、下方に突出した突起部が形成され、
前記仕切板は、その下端部が前記溝に入れられ、上端部が前記突起部にもたれかかった状態で配置される、請求項１に記載の書棚。
【請求項３】
前記仕切板には、指を挿入可能な挿入部が形成されている、請求項１又は請求項２に記載の書棚。
【請求項４】
前記挿入部は、前記仕切板の下端部に形成された切欠きである、請求項３に記載の書棚。
【請求項５】
前記挿入部は、複数形成されている、請求項３又は請求項４に記載の書棚。
【請求項６】
前記物品は、災害用の備蓄品である、請求項１から請求項５までのいずれか１項に記載の書棚。
【請求項７】
不特定多数の者が利用する施設で用いられる、請求項１から請求項６までのいずれか１項に記載の書棚。
【考案の詳細な説明】
【技術分野】
【０００１】
本考案は、書棚に関する。
【背景技術】
【０００２】
周知慣用技術に書棚がある。
【考案の概要】
【考案が解決しようとする課題】
【０００３】
書棚には通常、書籍を収納するが、書棚に書籍以外の物品（例えば、災害用の備蓄品等）が収納される空間（物品用空間）を本が設置される空間（書籍用空間）に加えて更に設けることで、物品を別途収納する必要がなくなり、収納する空間を節約することができる。しかしながら、例えば、書棚が不特定多数の者が利用する施設等に設置されている場合は、物品用空間に収納された物品が外部から視認できてしまうと、その場の雰囲気が害されることがある。そのような場合、物品用空間が外部から視認できないことが望ましい。本考案は、書籍以外の物品を収納する物品用空間を備え、物品用空間が外部から視認できない仕組みを有する書棚を提供することを目的とする。
【課題を解決するための手段】
【０００４】
請求項１の書棚は、書籍を載置する書棚であって、書籍の載置面を形成する第１の機能、及び、書籍の上面を覆う第２の機能、のうち少なくとも一方の機能を有する横板と、前記第１の機能を有する前記横板と前記第２の機能を有する前記横板とに挟まれた収納空間において奥方向への書籍の移動を制限する仕切板と、を備え、前記収納空間における前記仕切板よりも奥側に、書籍以外の物品を収納する物品用空間が形成され、前記仕切板は移動可能に構成され、前記仕切板が移動されることにより、前記物品用空間が、前記収納空間における前記仕切板の手前側に形成された書籍用空間側に開放され、物品の取り出しが可能となる。
【０００５】
請求項２の書棚は、請求項１の書棚であって、前記第１の機能を有する前記横板には、書籍が並べられる方向に延びる溝が形成され、前記第２の機能を有する前記横板には、下方に突出した突起部が形成され、前記仕切板は、その下端部が前記溝に入れられ、上端部が前記突起部にもたれかかった状態で配置される。
【０００６】
請求項３の書棚は、請求項１又は請求項２の書棚であって、前記仕切板には、指を挿入可能な挿入部が形成されている。
請求項４の書棚は、請求項３の書棚であって、前記挿入部は、前記仕切板の下端部に形成された切欠きである。
【０００７】
請求項５の書棚は、請求項３又は請求項４の書棚であって、前記挿入部は、複数形成されている。
請求項６の書棚は、請求項１から請求項５までのいずれか１項の書棚であって、前記物品は、災害用の備蓄品である。
【０００８】
請求項７の書棚は、請求項１から請求項６までのいずれか１項の書棚であって、不特定多数の者が利用する施設で用いられる。
【図面の簡単な説明】
【０００９】
【図１】実施形態の書棚の全体図である。
【図２】仕切板の移動方法を説明する図である。
【考案を実施するための形態】
【００１０】
以下、本考案の例示的な実施形態について図面を参照しながら説明する。
［１．構成］
図１に示す書棚１は、書籍を載置する書棚であって、５段構成の木製の書棚である。書棚１は、幕板１０、側板１１，１２、背板１３、横板１４，１５，１６，１７，１８，１９及び仕切板２４，２５，２６，２７，２８を備える。
【００１１】
幕板１０は、書棚１の最下部に位置する。側板１１，１２は、書棚１の左右の側面を形成する。側板１１は、書棚１の正面（書籍を取り出す取り出し口がある側）に面したときに左側に位置し、側板１２は、右側に位置する。図１においては、説明の便宜上、側板１１は透過して示される。背板１３は、書棚１の背面を形成する。
【００１２】
横板１４は、幕板１０の上に位置し、側板１１，１２及び背板１３に固定される。横板１４は、書籍の載置面を形成する。横板１４には、書籍が並べられる方向に延びる溝１４１が形成される。この例では、溝１４１は、横板１４の中央部に形成されている。なお、溝１４１が中央部に形成されている理由については後述する。また、後述する溝１５１，１６１，１７１，１８１も同様の位置及び形状である。
【００１３】
横板１５は、横板１４に並べられた書籍の上面を覆い、側板１１，１２及び背板１３に固定される。横板１５は、書籍の載置面を形成する。横板１５には、書籍が並べられる方向に延びる溝１５１が形成される。また、横板１５には、下方に突出した突起部１５２が形成される。この例では、突起部１５２は、横板１５の下面から下方へ延びる板である。なお、後述する突起部１６２，１７２，１８２，１９２も同様の形状である。
【００１４】
横板１６は、横板１５に並べられた書籍の上面を覆い、側板１１，１２及び背板１３に固定される。横板１６は、書籍の載置面を形成する。横板１６は横板１５と同様の構成であり、横板１６は、書籍が並べられる方向に延びる溝１６１及び下方に突出した突起部１６２を備える。
【００１５】
横板１７は、横板１６に並べられた書籍の上面を覆い、側板１１，１２及び背板１３に固定される。横板１７は、書籍の載置面を形成する。横板１７は横板１６と同様の構成であり、横板１７は、書籍が並べられる方向に延びる溝１７１及び下方に突出した突起部１７２を備える。
【００１６】
横板１８は、横板１７に並べられた書籍の上面を覆い、側板１１，１２及び背板１３に固定される。横板１８は、書籍の載置面を形成する。横板１８は、横板１７と同様の構成であり、横板１８は、書籍が並べられる方向に延びる溝１８１及び下方に突出した突起部１８２を備える。
【００１７】
横板１９は、横板１８に並べられた書籍の上面を覆い、側板１１，１２及び背板１３に固定される。横板１９は、書棚１の天板である。横板１９は、下方に突出した突起部１９２を備える。
【００１８】
仕切板２４は、横板１４と横板１５とに挟まれた収納空間において奥方向への書籍の移動を制限する。上記収納空間における仕切板２４よりも奥側に、書籍以外の物品（例えば、災害用の備蓄品等）を収納する物品用空間が形成され、仕切板２４の手前側に書籍用空間が形成される。なお、物品用空間及び書籍用空間が形成されるのは、後述する仕切板２５，２６，２７，２８についても同様である。仕切板２４は、その下端部が横板１４の溝１４１に入れられ、上端部が横板１５の突起部１５２にもたれかかった状態で配置される。なお、溝１４１が横板１４の中央部に形成されているのは、物品用空間が備蓄品（例えば、災害用の非常食等）を備えられる程度の奥行きを有し、書籍用空間が書籍を載置できる程度の奥行きを有するようにするためである。仕切板２４は移動可能に構成される。仕切板２４及び後述する仕切板２５，２６，２７，２８の移動方法については後述する。仕切板２４には、指を挿入可能な挿入部２４１が２箇所に形成されている。本実施形態では、挿入部２４１は、仕切板２４の下端部に形成された切欠きである。
【００１９】
仕切板２５は、横板１５と横板１６とに挟まれた収納空間において奥方向への書籍の移動を制限する。仕切板２５は、その下端部が横板１５の溝１５１に入れられ、上端部が横板１６の突起部１６２にもたれかかった状態で配置される。仕切板２５は、仕切板２４と同様の構成であり、仕切板２５には、挿入部２５１（切欠き）が２箇所に形成されている。
【００２０】
仕切板２６は、横板１６と横板１７とに挟まれた収納空間において奥方向への書籍の移動を制限する。仕切板２６は、その下端部が横板１６の溝１６１に入れられ、上端部が横板１７の突起部１７２にもたれかかった状態で配置される。仕切板２６は、仕切板２５と同様の構成であり、仕切板２６には、挿入部２６１（切欠き）が２箇所に形成されている。
【００２１】
仕切板２７は、横板１７と横板１８とに挟まれた収納空間において奥方向への書籍の移動を制限する。仕切板２７は、その下端部が横板１７の溝１７１に入れられ、上端部が横板１８の突起部１８２にもたれかかった状態で配置される。仕切板２７は、仕切板２６と同様の構成であり、仕切板２７には、挿入部２７１（切欠き）が２箇所に形成されている。
【００２２】
仕切板２８は、横板１８と横板１９とに挟まれた収納空間において奥方向への書籍の移動を制限する。仕切板２８は、その下端部が横板１８の溝１８１に入れられ、上端部が横板１９の突起部１９２にもたれかかった状態で配置される。仕切板２８は、仕切板２７と同様の構成であり、仕切板２８には、挿入部２８１（切欠き）が２箇所に形成されている。
【００２３】
次に、仕切り板２４，２５，２６，２７，２８の移動方法について説明する。例として、仕切り板２７の移動方法を図２を用いて説明する。図２では、向かって右側が書棚１の前方（手前側）に相当し、向かって左側が書棚１の後方（奥側）に相当する。
【００２４】
まず、横板１７に書籍が載置されていない状態で、仕切り板２７の挿入部２７１に指を挿入する。図２においては向かって右側から左側へ指を挿入する。挿入部２７１は２箇所に形成されているため、例えば人差し指と中指といったように２本の指を同時に挿入することが可能である。そして、挿入部２７１に指を挿入した状態で仕切板２７を持ち上げ、横板１７の溝１７１から仕切板２７を外す。その後、仕切板２７を書籍１の前方方向（図２の向かって右側）に引くことにより、仕切板２７を移動させる（取り外す）ことができる。このように仕切板２７を移動させることにより、物品用空間が仕切板２７の手前側に形成された書籍用空間側に開放され、物品の取り出しが可能となる。
【００２５】
［２．他の実施形態］
以上、本考案の実施形態について説明したが、本考案は上記実施形態に限定されることなく、種々の形態を採り得る。
【００２６】
（１）上記実施形態では、仕切板２４，２５，２６，２７，２８は、その下端部が溝１４１，１５１，１６１，１７１，１８１に入れられ、上端部が突起部１５２，１６２，１７２，１８２，１９２にもたれかかった状態で配置されていた。しかし、仕切板２４，２５，２６，２７，２８の配置方法はこれに限られない。例えば、側板１１，１２が突起部を備え、仕切板２４，２５，２６，２７，２８は、この突起部にもたれかかった状態で配置されてもよい。
【００２７】
（２）上記実施形態では、挿入部２４１，２５１，２６１，２７１，２８１は切欠きであったが、挿入部は切欠きに限られない。例えば、挿入部は、仕切板２４，２５，２６，２７，２８を厚手方向に貫通する貫通孔であってもよい。
【００２８】
（３）上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、実用新案登録請求の範囲に記載した文言のみによって特定される技術思想に含まれるあらゆる態様が本考案の実施形態である。
【符号の説明】
【００２９】
１…書棚、１０…幕板、１１，１２…側板、１３…背板、１４，１５，１６，１７，１８，１９…横板、２４，２５，２６，２７，２８…仕切板、１４１，１５１，１６１，１７１，１８１…溝部、１５２，１６２，１７２，１８２，１９２…突起部、２４１，２５１，２６１，２７１，２８１…挿入部。
【図１】
0003193181.tif 000003
【図２】
0003193181.tif 000004